【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
ユーザ機器(UE)によって実行されるワイヤレス通信のための方法であって、
K個の情報ビットのグループを複数のセグメントに反復的にセグメント化するステップと、
複数の符号化セグメントを生成するために、Polar符号を使用して前記複数のセグメントの各々の前記情報ビットを符号化するステップと、
前記複数の符号化セグメントを送信するステップとを含む、方法。
【請求項２】
前記K個の情報ビットのグループを反復的にセグメント化するステップが、一連の段階において前記K個の情報ビットのグループをセグメント化するステップを含み、前記一連の段階のうちの第1の段階が、
前記K個の情報ビットを、K(1)個の情報ビットを含む第1の結果セグメントと、K(2)個の情報ビットを含む第2の結果セグメントとにセグメント化するステップであって、
Kが偶数であるとき、K(1)=K/2およびK(2)=K/2であり、
Kが奇数であるとき、K(1)=(K-1)/2およびK(2)=(K+1)/2である、ステップと、
Kが偶数であるとき、0個のパディングビットを前記第1の結果セグメントに加えるステップと、
Kが奇数であるとき、1個のパディングビットを前記第1の結果セグメントに加えるステップとを含む、請求項1に記載の方法。
【請求項３】
前記一連の段階のうちの第2の段階および各々の後続の段階を反復的にセグメント化するステップが、
直前の段階の結果セグメントの各々を2つの新規結果セグメントにセグメント化するステップであって、
前記直前の段階の前記結果セグメントのビット数が偶数であるとき、前記2つの新規結果セグメントの各々が、前記直前の段階の前記結果セグメントの前記ビット数の1/2を有し、
前記直前の段階の前記結果セグメントのビット数が奇数であるとき、第1の新規結果セグメントが(前記直前の段階の前記結果セグメントの前記ビット数-1)/2個のビットを有し、第2の新規結果セグメントが(前記直前の段階の前記結果セグメントの前記ビット数+1)/2個のビットを有する、ステップと、
前記直前の段階の前記結果セグメントの前記ビット数が偶数であるとき、0個のパディングビットを前記第1の新規結果セグメントに加えるステップと、
前記直前の段階の前記結果セグメントの前記ビット数が奇数であるとき、1個のパディングビットを前記第1の新規結果セグメントに加えるステップとを含む、請求項2に記載の方法。
【請求項４】
Kおよび前記Polar符号のパラメータのうちの1つまたは複数に基づいて、前記K個の情報ビットのグループを前記複数のセグメントに反復的にセグメント化することを決定するステップをさらに含む、請求項1に記載の方法。
【請求項５】
K、巡回冗長検査(CRC)長、セグメント化を伴うレートマッチング後の前記Polar符号のマザーコード長、およびコード化ビット長Mに基づいて、セグメント化を伴うコーディングレートR_segを決定するステップと、
K、巡回冗長検査(CRC)長、セグメント化を伴わないレートマッチング後の前記Polar符号のマザーコード長、およびコード化ビット長Mに基づいて、セグメント化を伴わないコーディングレートR_nosegを決定するステップとをさらに含み、
前記K個の情報ビットのグループを反復的にセグメント化することの前記決定が、R_segがR_nosegより小さいことに基づく、請求項4に記載の方法。
【請求項６】
各符号化セグメントを送信するステップが、
前記符号化セグメントの各コード化ビットを、前記Polar符号のサイズNに等しいサイズを有する循環バッファに書き込むステップであって、前記コード化ビットがNに依存する順序で書き込まれる、ステップと、
前記循環バッファからM個のコード化ビットを読み出すステップと、
前記M個のコード化ビットを送信するステップとを含む、請求項1に記載の方法。
【請求項７】
ユーザ機器(UE)によって実行されるワイヤレス通信のための方法であって、
情報ビットのグループのペイロードサイズおよびPolar符号のパラメータのうちの1つまたは複数に基づいて、前記情報ビットのグループを複数のセグメントにセグメント化することを決定するステップであって、前記ペイロードサイズがKである、ステップと、
前記情報ビットのグループを前記複数のセグメントにセグメント化するステップと、
複数の符号化セグメントを生成するために、前記Polar符号を使用して前記複数のセグメントの各々の前記情報ビットを符号化するステップと、
前記複数の符号化セグメントを送信するステップとを含む、方法。
【請求項８】
前記決定が、前記UEによってサポートされるPolar符号の最大マザーコード長Nmax、およびKに基づく、請求項7に記載の方法。
【請求項９】
前記決定が、
Kが閾値ビット数K_thrより大きいこと、
コーディングレートRが閾値コーディングレートR_thrより大きいこと、および
コード化ビット長Mが閾値コード化ビット長M_thrより大きいことに基づく、請求項7に記載の方法。
【請求項１０】
前記情報ビットのグループをセグメント化することの前記決定が、
Kが閾値ペイロードサイズK_thr以上であること、および
コード化ビット長Mが閾値コード化ビット長M_thr以上であることに基づく、請求項7に記載の方法。
【請求項１１】
K、巡回冗長検査(CRC)長、セグメント化を伴うレートマッチング後のPolar符号のマザーコード長、およびコード化ビット長Mに基づいて、セグメント化を伴うコーディングレートR_segを決定するステップと、
K、巡回冗長検査(CRC)長、セグメント化を伴わないレートマッチング後のPolar符号のマザーコード長、およびコード化ビット長Mに基づいて、セグメント化を伴わないコーディングレートR_nosegを決定するステップとをさらに含み、
K個の前記情報ビットのグループをセグメント化することの前記決定が、R_segがR_nosegより小さいことに基づく、請求項7に記載の方法。
【請求項１２】
各符号化セグメントを送信するステップが、
前記符号化セグメントの各コード化ビットを前記Polar符号のサイズNに等しいサイズを有する循環バッファに書き込むステップであって、前記コード化ビットがNに依存する順序で書き込まれる、ステップと、
前記循環バッファからM個のコード化ビットを読み出すステップと、
前記M個のコード化ビットを送信するステップとを含む、請求項7に記載の方法。
【請求項１３】
K個の前記情報ビットのグループをセグメント化することの前記決定が、Kが閾値ペイロードサイズK_thr以上であることに基づく、請求項7に記載の方法。
【請求項１４】
ワイヤレス通信のための装置であって
K個の情報ビットのグループを複数のセグメントに反復的にセグメント化する手段と、
複数の符号化セグメントを生成するために、Polar符号を使用して前記複数のセグメントの各々の前記情報ビットを符号化する手段と、
前記複数の符号化セグメントを送信する手段と、を備える、
装置。
【請求項１５】
ワイヤレス通信のための装置であって
情報ビットのグループのペイロードサイズおよびPolar符号のパラメータのうちの1つまたは複数に基づいて、前記情報ビットのグループを複数のセグメントにセグメント化することを決定する手段であって、前記ペイロードサイズがKである、手段と、
前記情報ビットのグループを前記複数のセグメントにセグメント化する手段と、
複数の符号化セグメントを生成するために、前記Polar符号を使用して前記複数のセグメントの各々の前記情報ビットを符号化する手段と、
前記複数の符号化セグメントを送信する手段と、を備える、
装置。